(57)【特許請求の範囲】
【請求項１】
表示部を有する第１面と、当該第１面の対面である第２面と、前記第１面及び前記第２面に隣接する端面と、を備える筐体部と、
前記筐体部に対して回動可能に取付けられ、前記筐体部を、前記第１面が載置面と鋭角を成し、前記第２面が前記載置面に対して前記第１面よりも近接し、前記端面が前記載置面に対して前記第１面よりも近接するように立設する支持体部と、
前記支持体部に取付けられ、当該支持体部によって前記筐体部が立設されている場合、前記端面を基準として前記支持体部が前記載置面と当接している箇所とは反対側に映像を投影する映像投影部と、
を備え、
前記支持体部が前記載置面と当接している箇所とは反対側は、前記載置面から離間している
電子機器。
【請求項２】
前記支持体部は、前記載置面と接する第１端部と、前記載置面から離間して配置される第２端部とを有し、
前記映像投影部は、前記支持体部の第２端部側における前記載置面に対向する側に配置される
請求項１に記載の電子機器。
【請求項３】
前記映像投影部は、前記表示部により表示される表示内容と異なる内容の映像を投影する
請求項１又は２に記載の電子機器。
【請求項４】
複数のアプリケーションのうち、所定のアプリケーションを選択するアプリケーション選択部と、
前記アプリケーション選択部により選択されたアプリケーションを実行するアプリケーション実行部と、
前記筐体部と、前記支持体部との回動角度を検知する回動角度検知部と、を備え、
前記筐体部と、前記支持体部との回動角度が変更された場合、
前記アプリケーション選択部は、前記回動角度検知部により検知された回動角度に応じて、所定のサプリケーションを選択する
請求項１から３のいずれかに記載の電子機器。
【請求項５】
前記筐体部は、前記第２面に配置されるスピーカ部を有し、
前記筐体部が前記載置面に略垂直になるよう回動角度が変更された場合、
前記アプリケーション選択部は、前記回動角度検知部により検知された回動角度に応じて、音楽再生アプリケーションを選択する
請求項４に記載の電子機器。
【請求項６】
前記筐体部と、前記支持体部との回動角度を検知する回動角度検知部と、
前記回動角度検知部により検知された回動角度に応じて、前記映像投影部における投射方向及び／又は照射角を調整可能な映像投影部制御部と、を備える
請求項１から５のいずれかに記載の電子機器。
【請求項７】
前記映像投影部は、所定の入力用映像を投影し、前記映像投影部により投影された入力用映像上における物体の動きを検出する赤外線センサと、
前記赤外線センサにより検知された前記入力用映像上における物体の動きに基づいて、所定の入力内容を認識すると共に認識した入力内容を受け付ける入力受付部と、を備える請求項１から６のいずれかに記載の電子機器。
【請求項８】
表示部を有する第１面と、当該第１面の対面である第２面と、前記第１面及び前記第２面に隣接する第１端面と、を備える筐体部と、
前記第１面、前記第２面及び前記第１端面と平行な回動軸を有する連結部と、当該回動軸において前記第１面に対して所定角度をなす場合に前記第１面の前方に配される第２端面と、当該回動軸において前記第１面に対して所定角度をなす場合に前記第２面の前方に配される第３端面と、を有する支持体部と、
前記第２端面に取付けられ、映像を投影する映像投影部と、
を備え、
前記第２端面が載置面から離間している
電子機器。
【発明の詳細な説明】
【技術分野】
【０００１】
本発明は、携帯電話機等の電子機器に関する。
【背景技術】
【０００２】
従来、電子機器としての携帯電話機は、電子メール等の文字情報や動画等の画像情報を表示する表示部を備えている。また、筐体に映像投影部を設け、この映像投影部から出力された映像をスクリーン等の被投影物に投影して、表示部に表示される情報を大きく表示する携帯電話機が提案されている（例えば、特許文献１参照）。
【先行技術文献】
【特許文献】
【０００３】
【特許文献１】特開２００２−７７３２７号公報
【発明の概要】
【発明が解決しようとする課題】
【０００４】
特許文献１の携帯電話機は、表示部に表示される文字情報や画像情報と同じ情報を、被投影物に大きく投影して情報の視認性を向上させている。
しかし、特許文献１の携帯電話機１において、表示部に表示された情報と、映像投影部により被投影物に投影された情報との双方を視認するための工夫はなされていない。
また、特許文献１の携帯電話機において、映像投影部により投影された情報は、表示部に表示された情報と同じ情報であるので、そもそも双方を視認することは想定されていない。
【０００５】
本発明は、映像投影部により投影された映像内容と表示部に表示された表示内容との双方を視認することが容易な電子機器を提供することを目的とする。
【課題を解決するための手段】
【０００６】
本発明は、表示部を有する第１面と、当該第１面の対面である第２面と、前記第１面及び前記第２面に隣接する端面と、を備える筐体部と、前記筐体部に対して回動可能に取付けられ、前記筐体部を、前記第１面が載置面と鋭角を成し、前記第２面が前記載置面に対して前記第１面よりも近接し、前記端面が前記載置面に対して前記第１面よりも近接するように立設する支持体部と、前記支持体部に取付けられ、当該支持体部によって前記筐体部が立設されている場合、前記端面を基準として前記支持体部が前記載置面と当接している箇所とは反対側に映像を投影する映像投影部と、を備え、前記支持体部が前記載置面と当接している箇所とは反対側は、前記載置面から離間している電子機器に関する。
【０００７】
また、前記支持体部は、前記載置面と接する第１端部と、前記載置面から離間して配置される第２端部とを有し、前記映像投影部は、前記支持体部の第２端部側における前記載置面に対向する側に配置されることが好ましい。
【０００８】
また、前記映像投影部は、前記表示部により表示される表示内容と異なる内容の映像を投影することが好ましい。
【０００９】
また、複数のアプリケーションのうち、所定のアプリケーションを選択するアプリケーション選択部と、前記アプリケーション選択部により選択されたアプリケーションを実行するアプリケーション実行部と、前記筐体部と、前記支持体部との回動角度を検知する回動角度検知部と、を備え、前記筐体部と、前記支持体部との回動角度が変更された場合、前記アプリケーション選択部は、前記回動角度検知部により検知された回動角度に応じて、所定のサプリケーションを選択することが好ましい。
【００１０】
また、前記筺体部は、前記第２面に配置されるスピーカ部を有し、前記筺体部が前記載置面に略垂直になるよう回動角度が変更された場合、前記アプリケーション選択部は、前記回動角度検知部により検知された回動角度に応じて、音楽再生アプリケーションを選択することが好ましい。
【００１１】
また、前記筐体部と、前記支持体部との回動角度を検知する回動角度検知部と、前記回動角度検知部により検知された回動角度に応じて、前記映像投影部における投射方向及び／又は照射角を調整可能な映像投影部制御部と、を備えることが好ましい。
【００１２】
また、前記映像投影部は、所定の入力用映像を投影し、前記映像投影部により投影された入力用映像上における物体の動きを検出する赤外線センサと、前記赤外線センサにより検知された前記入力用映像上における物体の動きに基づいて、所定の入力内容を認識すると共に認識した入力内容を受け付ける入力受付部と、を備えることが好ましい。
【００１３】
本発明は、表示部を有する第１面と、当該第１面の対面である第２面と、前記第１面及び前記第２面に隣接する第１端面と、を備える筐体部と、前記第１面、前記第２面及び前記第１端面と平行な回動軸を有する連結部と、当該回動軸において前記第１面に対して所定角度をなす場合に前記第１面の前方に配される第２端面と、当該回動軸において前記第１面に対して所定角度をなす場合に前記第２面の前方に配される第３端面と、を有する支持体部と、前記第２端面に取付けられ、映像を投影する映像投影部と、を備え、前記第２端面が載置面から離間している電子機器に関する。
【発明の効果】
【００１４】
本発明によれば、映像投影部により投影された映像内容と表示部に表示された表示内容との双方を視認することが容易な電子機器を提供することができる。
【図面の簡単な説明】
【００１５】
【図１】携帯電話機の実施形態を説明する斜視全体図である。
【図２】携帯電話機における正面図である。
【図３】筐体と支持部材とが所定角度で保持された状態を説明する斜視図である。
【図４Ａ】回動角度がＡ０の場合における携帯電話機を説明する側面図である。
【図４Ｂ】回動角度がＡ１の場合における携帯電話機を説明する側面図である。
【図４Ｃ】回動角度がＡ２の場合における携帯電話機を説明する側面図である。
【図４Ｄ】回動角度がＡ３の場合における携帯電話機を説明する側面図である。
【図５】携帯電話機における機能ブロック図である。
【図６】回動角度―アプリケーションテーブルを説明する図である。
【図７】補正情報テーブルを説明する図である。
【図８】携帯電話機における動作を説明するフロー図である。
【図９】携帯電話機における他の実施形態を説明する平面図である。
【図１０】携帯電話機における他の実施形態を説明する平面図である。
【図１１Ａ】携帯電話機における他の実施形態を説明する平面図である。
【図１１Ｂ】携帯電話機における他の実施形態を説明する側面図である。
【発明を実施するための形態】
【００１６】
以下、図面を参照して本発明を実施するための最良の形態を説明する。
まず、図１により、携帯電話機１における概要について説明する。
図１は、携帯電話機の実施形態を説明する斜視全体図である。
図１に示すように、携帯電話機１は、第１面２Ａに配置される表示部２１を有する筐体２（筺体部）と、筐体２の外周面２Ｃを囲むように配置される支持部材３（支持体部）であって載置面Ｇに対して筐体２を所定角度で立設させる支持部材３と、筐体２の外周面２Ｃにおける所定位置と支持部材３の内周面３Ｃにおける所定位置とを回動軸Ｒ（詳細は図２を参照）を中心に回動可能に連結すると共に、筐体２と支持部材３とを所定の回動角度Ａで保持可能な連結部４と、支持部材３に配置され、載置面Ｇにおける所定領域ＧＡであって筐体２を基準として表示部２１が配置された側に位置する所定領域ＧＡに映像を投影可能な映像投影部１００と、を備える。
【００１７】
図１に示すように、筐体２と支持部材３とが連結部４により所定の回動角度Ａで保持された状態において、表示部２１に表示された表示内容Ｑと映像投影部１００により投影された映像内容Ｐとは、同じ側から同時に視認可能に配置される。つまり、携帯電話機１は、表示部２１に表示された表示内容Ｑと映像投影部１００により投影された映像内容Ｐとの双方をユーザに同時に視認させることが可能に構成される。
【００１８】
続けて、図１から図４Ｄにより、携帯電話機１の構造について説明する。
図２は、携帯電話機における正面図である。図３は、筐体と支持部材とが所定角度で保持された状態を説明する斜視図である。図４Ａは、回動角度が略０度であるＡ０の場合における携帯電話機を説明する側面図である。図４Ｂは、回動角度が所定の鋭角であるＡ１の場合における携帯電話機を説明する側面図である。図４Ｃは、回動角度が角度Ａ１よりも大きい鋭角であるＡ２の場合における携帯電話機を説明する側面図である。図４Ｄは、回動角度が角度Ａ２よりも大きい角度であるＡ３の場合における携帯電話機を説明する側面図である。
【００１９】
図１から図３に示すように、携帯電話機１は、筐体２と、支持部材３と、筐体２と支持部材３とを互いに回動可能に連結する連結部４と、を備える。
【００２０】
筐体２は、矩形状に形成される。筐体２は、第１面２Ａと、当該第１面２Ａの対面である第２面２Ｂと、第１面２Ａ及び第２面２Ｂに交差して形成される外周面２Ｃとを有する。また、筐体２は、載置面Ｇに載置される一方の端面２ａと、載置面Ｇから離間して配置される他方の端面２ｂとを有する。
【００２１】
筐体２は、支持部材３に囲まれて形成される中空部５に収容されるよう配置される。筐体２は、支持部材３の内側に配置される。筐体２は、後述する連結部４により支持部材３に回動可能に連結される。筐体２は、連結部４により、支持部材３に対し所定の回動角度Ａで保持される。筐体２は、連結部４により所定の回動角度Ａで保持された支持部材３により、載置面Ｇに対して所定の角度なすように立設される。
筐体２は、第１面２Ａ側に配置される表示部２１と、第２面２Ｂ側に配置されるスピーカ部２５とを備える。
【００２２】
表示部２１は、筐体２における第１面２Ａ側に配置される。ユーザは、携帯電話機１を使用する場合、表示部２１に対向して位置する。
表示部２１は、液晶パネルと、液晶パネルを駆動する駆動回路と、液晶パネルの背面側から光を照射するバックライト等の光源部とを有して構成される。
【００２３】
表示部２１は、支持部材３により立設された状態において、所定側（例えば、ユーザ側）を向くように配置される。換言すれば、表示部２１は、スピーカ部２５に比べて、載置面Ｇに対してより遠いところに配置される。支持部材３により立設された状態において、表示部２１は、該表示部２１により表示された表示内容Ｑが映像投影部１００により所定領域ＧＡに表示された映像内容Ｐとユーザから同時に視認可能なように、映像内容Ｐが投影された側を向いて配置される。
本実施形態において、表示部２１に表示される表示内容Ｑは、映像投影部１００により投影された映像内容Ｐと異なる内容である。
【００２４】
表示部２１は、連結部４により保持される回動角度Ａに応じて、ユーザからの視認性が変化する。ここで、後述するアプリケーション選択部３２０は、表示部２１に対するユーザの視認性に応じて、アプリケーションを選択するように構成される。
【００２５】
スピーカ部２５は、筐体２における第２面２Ｂ側に配置される。スピーカ部２５は、連結部４における回動角度Ａが小さい場合（図４参照）、載置面Ｇに対向して配置され、外部空間に好適に放音することができない。スピーカ部２５は、筐体２が載置面Ｇに略垂直に配置された状態において、外部空間に対して好適に放音する。
【００２６】
支持部材３は、筐体２の外周面２Ｃを囲むように配置される。
支持部材３は、連結部４により、筐体２に回動可能に連結される。支持部材３は、連結部４により、筐体２と所定の回動角度Ａで保持される。
支持部材３は、連結部４により所定の回動角度Ａで保持されることで、筐体２を載置面Ｇに対して所定の角度で立設させる。
【００２７】
支持部材３は、連結部４における回動角度Ａが０°である場合に、筐体２の第１面２Ａと並んで配置される第１面３Ａと、第２面２Ｂと並んで配置される第２面３Ｂと、第１面３Ａ及び第２面３Ｂと連続して形成され中空部５の外郭を構成する内周面３Ｃとを有する。また、支持部材３は、載置面Ｇに載置される一方の端部３ａ（第１端部）と、載置面Ｇから離間して配置される他方の端部３ｂ（第２端部）とを有する。また、支持部材３は、外周側に形成され、第１面３Ａ側に形成される第１傾斜部３１Ａと、第２傾斜部３１Ｂとを有する。
ここで、後述する映像投影部１００は、他方の端部３ｂ側における第２傾斜部３１Ｂに配置される。
【００２８】
また、支持部材３は、端部３ｂ側に形成される凹部３０を有する。凹部３０は、筐体２を支持部材３に対して回動移動させるための部分である。凹部３０は、第１面２Ａにおける中空部５側に形成される。凹部３０は、連結部４における回動角度Ａが０°である場合に、筐体２の第１面２Ａと段差を有して並んで配置される。連結部４における回動角度Ａが０°である状態において、ユーザが凹部３０に指をおくと共に凹部３０に近接する筐体２の端部に指をおくことで、筐体２の端部は、押し下げられる。これにより、筐体２は、支持部材３に対して簡易に回動移動される。
【００２９】
図１及び図３に示すように、連結部４は、筐体２の外周面２Ｃにおける所定位置と、支持部材３の内周面３Ｃにおける所定位置とを回動軸Ｒを中心に回動可能に連結する。連結部４は、筐体２と支持部材３とを所定の回動角度Ａで保持可能に構成される。
ここで、本実施形態において、筐体２の外周面２Ｃにおける所定位置は、回動軸Ｒが延びる方向に直交する方向において、外周面２Ｃの略中央の位置である。また、支持部材３の内周面３Ｃにおける所定位置は、同様に、回動軸Ｒが延びる方向に直交する方向において、内周面３Ｃの略中央の位置である。
【００３０】
図４Ａから図４Ｄに示すように、連結部４は、携帯電話機１における所定の使用に適した回動角度で、筐体２と支持部材３とを保持する。連結部４は、例えば、メールの使用に適した回動角度Ａ１で筐体２と支持部材３とを保持する（図４Ｂ参照）。また、連結部４は、例えば、ＴＶ視聴に適した回動角度Ａ２で筐体２と支持部材３とを保持する（図４Ｃ参照）。また、連結部４は、例えば、音楽再生に適した回動角度Ａ３で筐体２と支持部材３とを保持する（図４Ｄ参照）。
【００３１】
また、連結部４は、映像投影部１００における載置面Ｇへの映像投影に適した回動角度Ａで筐体２と支持部材３とを保持する。
【００３２】
映像投影部１００は、支持部材３に配置される。図１に示すように、映像投影部１００は、載置面Ｇにおける所定領域であって筐体２を基準として表示部２１が配置された側に位置する所定領域ＧＡに映像を投影可能な位置に配置される。
【００３３】
映像投影部１００は、支持部材３の他の端部３ｂ側における載置面Ｇに対向する側に配置される。具体的には、映像投影部１００は、他方の端部３ｂ側における第２傾斜部３１Ｂに配置される。
【００３４】
映像投影部１００は、映像内容Ｐを、表示部２１に表示された表示内容Ｑと同時に視認可能な所定領域ＧＡに映像を投影する。例えば、ユーザが斜め下を見るように表示部２１を見た場合において、映像投影部１００は、載置面Ｇにおける表示部２１の手前（ユーザ側）の領域に映像を投影させる。
【００３５】
映像投影部１００は、本実施形態において、表示部２１の表示内容Ｑとは異なる内容（情報、画像）の映像内容Ｐを所定領域ＧＡに投影する。
映像投影部１００は、例えば、表示部２１に表示された表示内容Ｑと関連する情報や画像を投影することができる。
【００３６】
映像投影部１００は、図１に示すように、表示部２１に文章作成画面を表示させた状態において、キーボード（入力用映像）を表示させることができる。
この場合において、後述する赤外線センサ１１０は、ユーザの指（物体）の動きを検出する。そして、赤外線センサ１１０により検出された赤外線センサ１１０により検知された前記入力用映像上における物体の動きに基づいて、入力受付部３６０は、所定の入力内容を認識する。
【００３７】
ここで、映像投影部１００から投影された映像は、後述する映像補正部３４０により補正（台形補正）される。後述する映像補正部３４０は、連結部４における回動角度Ａ等に応じて映像を補正する。
【００３８】
続けて、図５から図７により、携帯電話機１における機能部について説明する。
図５は、携帯電話機における機能ブロック図である。図６は、回動角度―アプリケーションテーブルを説明する図である。図７は、補正情報テーブルを説明する図である。
【００３９】
図５に示すように、携帯電話機１は、筐体２に配置される無線通信部２００と、表示部２１と、タッチパネル部１２１と、スピーカ部２５と、ＣＰＵ４５と、メモリ４４と、支持部材３に配置される映像投影部１００と、赤外線センサ１１０とを備える。
【００４０】
無線通信部２００は、所定の使用周波数帯により外部装置と通信を行うアンテナ部９０と、変調処理又は復調処理等の信号処理を行う通信処理部２０１と、を備える。
【００４１】
アンテナ部９０は、所定の使用周波数帯（例えば、８００ＭＨｚ）で基地局と通信を行う。なお、アンテナ部９０は、所定の使用周波数帯（第１の使用周波数帯）のほかに、第２の使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
【００４２】
通信処理部２０１は、所定の機能部から供給された信号を変調処理しアンテナ部９０を介して基地局に送信すると共に、アンテナ部９０により受信された信号を復調処理し所定の機能部に供給する。
【００４３】
表示部２１は、後述するアプリケーション実行部３３０により実行されるアプリケーションに応じた画像を表示する。
【００４４】
タッチパネル部１２１は、表示部２１における表面に配置される。タッチパネル部１２１は、外部（ユーザ）からの入力操作を検出する。タッチパネル部１２１は、検出した入力操作の内容を後述する入力受付部３６０に出力する。
【００４５】
スピーカ部２５は、筐体２における表示部２１が配置される第１面２Ａと反対側の第２面２Ｂ側に配置される。スピーカ部２５は、例えば、後述するアプリケーション実行部３３０により音楽再生アプリケーションやＴＶアプリケーションが実行された状態において、好適に音声を外部に出力する。
【００４６】
ＣＰＵ４５は、携帯電話機１の全体を制御する。また、ＣＰＵ４５は、機能部としての回動角度検知部３１０と、アプリケーション選択部３２０と、アプリケーション実行部３３０と、映像補正部３４０と、映像投影部制御部３５０と、入力受付部３６０とを備える。
【００４７】
回動角度検知部３１０は、連結部４における回動角度Ａを検知する。回動角度検知部３１０は、検知した回動角度Ａに関する情報をアプリケーション選択部３２０、映像補正部３４０や映像投影部制御部３５０に出力する。
【００４８】
アプリケーション選択部３２０は、複数のアプリケーションのうち、所定のアプリケーションを選択する。アプリケーション選択部３２０は、例えば、タッチパネル部１２１により受け付けられた選択指示に基づいて、所定のアプリケーションを選択する。アプリケーション選択部３２０により選択されたアプリケーションは、後述するアプリケーション実行部３３０により実行される（立ち上げられる）。
【００４９】
アプリケーション選択部３２０は、連結部４における回動角度Ａが変更された場合、回動角度検知部３１０により検知された回動角度Ａに応じて、所定のサプリケーションを選択する。アプリケーション選択部３２０は、回動角度検知部３１０からの回動角度に関する情報に基づいて、所定のアプリケーションを選択する。
【００５０】
具体的には、アプリケーション選択部３２０は、後述する回動角度―アプリケーションテーブル記憶部４１０に記憶される回動角度―アプリケーションテーブル４１１を参照し、回動角度検知部３１０により検知された回動角度Ａに対応するアプリケーションを選択する。例えば、回動角度検知部３１０により検知された回動角度Ａが回動角度Ａ１である場合、アプリケーション選択部３２０は、メールアプリケーション（メーラ）を選択する。例えば、回動角度検知部３１０により検知された回動角度Ａが回動角度Ａ２である場合、アプリケーション選択部３２０は、ＴＶ（視聴）アプリケーションを選択する。例えば、回動角度検知部３１０により検知された回動角度Ａが回動角度Ａ３である場合、アプリケーション選択部３２０は、音楽再生アプリケーションを選択する。ここで、回動角度Ａ３は、筐体２が載置面Ｇに略垂直になる場合における回動角度に設定されていることが好ましい。つまり、筐体２が載置面Ｇに略垂直になる場合、アプリケーション選択部３２０が音楽再生アプリケーションを選択するよう設定されることが好ましい。
【００５１】
アプリケーション実行部３３０は、アプリケーション選択部３２０により選択されたアプリケーションを実行する。アプリケーション選択部３２０が回動角度検知部３１０により検知された回動角度Ａに応じたアプリケーションを選択するので、アプリケーション実行部３３０は、連結部４における回動角度Ａ（筐体２の載置面Ｇとの角度）に応じたアプリケーションを実行する。
【００５２】
映像補正部３４０は、映像投影部１００により所定領域ＧＡに投影される映像を補正する。映像補正部３４０は、所定領域ＧＡに投影される映像が所望の映像となるよう台形補正する。
【００５３】
映像補正部３４０は、回動角度Ａ、映像投影部１００の配置、投影方向（角度）や照射角等の情報に基づいて、映像を補正する。映像投影部１００は、特に各要素に影響を与える回動角度Ａに応じて、台形補正度合いを変更する。具体的には、映像補正部３４０は、補正情報テーブル記憶部４２０に記憶される補正情報テーブル４２１を参照して、回動角度Ａに対応した台形補正度合いで投影される映像を台形補正する。
【００５４】
映像投影部制御部３５０は、回動角度検知部３１０により検知された回動角度Ａに応じて、映像投影部１００における投射方向（角度）及び／又は照射角を調整する。
映像投影部制御部３５０は、回動角度Ａに応じて映像投影部１００における位置（載置面Ｇからの距離）や向きが変化すること対応して、映像投影部１００を制御する。
【００５５】
具体的には、映像投影部制御部３５０は、補正情報テーブル４２１を参照して、映像投影部１００における投影方向（角度）を調整する。詳細には、映像投影部制御部３５０は、回動角度Ａが大きくなるほど垂直方向とのなす角度が小さくなるよう映像投影部１００（又は映像投影部１００の向きを調整する調整部）を制御する。
また、具体的には、映像投影部制御部３５０は、補正情報テーブル４２１を参照して、映像投影部１００における照射角を調整する。詳細には、映像投影部制御部３５０は、回動角度Ａが大きくなるほど（載置面Ｇからの距離が遠くなるので）、照射角を小さくするよう映像投影部１００を制御する。
【００５６】
入力受付部３６０は、タッチパネル部１２１により検出された外部（ユーザ）からの入力操作の内容を受け付ける。また、入力受付部３６０は、前記赤外線センサにより検知された前記入力用映像上における物体の動きに基づいて、所定の入力内容を認識すると共に認識した入力内容を受け付ける。
【００５７】
メモリ４４は、複数のアプリケーションプログラムを記憶する。
また、メモリ４４は、回動角度―アプリケーションテーブル記憶部４１０と、補正情報テーブル記憶部４２０とを含む。
【００５８】
回動角度―アプリケーションテーブル記憶部４１０は、回動角度―アプリケーションテーブル４１１を記憶する（図６参照）。
図６に示すように、回動角度―アプリケーションテーブル４１１は、回動角度Ａごとに、該回動角度Ａに対応するアプリケーションが設定される。
ここで、回動角度Ａに対応するアプリケーションとして、連結部４により筐体２と支持部材３とが各回動角度Ａで保持された状態において、ユーザが利用しやすいアプリケーションが設定される。
【００５９】
補正情報テーブル記憶部４２０は、補正情報テーブル４２１を記憶する（図７参照）。
図７に示すように、補正情報テーブル４２１は、回動角度Ａごとに、該回動角度Ａに対応する投影方向（角度）、照射角、台形補正度合いが設定される。
投影方向（角度）は、回動角度Ａが大きくなるほど垂直方向とのなす角度が小さくなるよう設定される。
また、照射角は、回動角度Ａが大きくなるほど（載置面Ｇからの距離が遠くなるので）小さくなるよう設定される。
また、台形補正度合いは、回動角度Ａが大きくなるほど弱くなるよう設定される。逆に、台形補正度合いは、回動角度Ａが小さくなるほど強くなるよう設定される。
【００６０】
映像投影部１００は、載置面Ｇにおける表示部２１を視認しているユーザから視認できる所定領域ＧＡに映像を投影する。映像投影部１００は、上述の映像投影部制御部３５０により、投影方向（角度）や照射角を調整するよう制御される。
【００６１】
映像投影部１００は、所定領域ＧＡにキーボード（入力用映像）を投影可能に構成される。この場合、後述する赤外線センサ１１０と協働して、バーチャル入力部が形成される。
【００６２】
赤外線センサ１１０は、支持部材３に映像投影部１００と隣接して配置される。
赤外線センサ１１０は、赤外線出光部と赤外線受光部とを有して構成される。
赤外線センサ１１０は、載置面Ｇにおける所定の測定対象領域上におけるユーザの指の動きを検出可能に構成される。赤外線センサ１１０は、所定の測定領域に向けて出光した赤外線の反射（受光）を検出することで、所定の測定領域におけるユーザの指の動き（入力操作）を検出する。
【００６３】
つまり、映像投影部１００によりキーボードの映像が投影された場合、赤外線センサ１１０は、ユーザが指をおいたキーの種類及び順序を検出可能である。
赤外線センサ１１０により検出された投影されたキーボード映像上のユーザの指の動きから検出された入力内容の情報は、上述した入力受付部３６０に出力される。
【００６４】
続けて、図８により、連結部４における回動角度Ａを変更した場合における携帯電話機１の動作について説明する。図８は、携帯電話機における動作を説明するフロー図である。
【００６５】
まず、ユーザは、図４Ａにおける状態から連結部４における回動角度Ａを変更する。具体的には、ユーザは、凹部３０に指をおくようにして筐体２を支持部材３に対して回動移動させる。そして、ユーザは、連結部４における回動角度Ａを所定の回動角度にすると共に、筐体２を立設させる。
【００６６】
次いで、ステップＳＴ１において、回動角度検知部３１０は、連結部４における回動角度を検知する。
【００６７】
続けて、ステップＳＴ２において、ＣＰＵ４５（制御部）は、回動角度が変更されているか判定する。
ＣＰＵ４５（制御部）により回動角度が変更されたと判定された場合（ステップＳＴ２、ＹＥＳ）、ＣＰＵ４５（制御部）における処理は、ステップＳＴ３に進む。
ＣＰＵ４５（制御部）により回動角度が変更されていないと判定された場合（ステップＳＴ２、ＮＯ）、ＣＰＵ４５（制御部）における処理は、ステップＳＴ１の前に戻る。
【００６８】
続けて、ステップＳＴ３において、ＣＰＵ４５（制御部）は、回動角度が回動角度Ａ１であるか否かを判定する。
ＣＰＵ４５（制御部）により回動角度がＡ１だと判定された場合（ステップＳＴ３、ＹＥＳ）、ＣＰＵ４５（制御部）における処理は、ステップＳＴ４に進む。
ＣＰＵ４５（制御部）により回動角度がＡ１ではなくＡ２であると判定された場合（ステップＳＴ２、ＮＯ）、ＣＰＵ４５（制御部）における処理は、ステップＳＴ１２に進む。
【００６９】
続けて、ステップＳＴ４において、アプリケーション選択部３２０（ＣＰＵ４５）は、アプリケーションテーブル４１１を参照し、回動角度Ａ１に対応したアプリケーション（メール）を選択する。
【００７０】
続けて、ステップＳＴ５において、アプリケーション実行部３３０（ＣＰＵ４５）は、アプリケーション（メール）を実行する。
【００７１】
続けて、ステップＳＴ６において、映像投影部１００は、所定領域ＧＡにキーボードの映像を投影する。ユーザは、投影されたキーボード映像上で所定の入力操作を行う。
【００７２】
続けて、ステップＳＴ７において、赤外線センサ１１０は、キーボード映像上でのユーザの入力操作を検出する。
【００７３】
続けて、ステップＳＴ８において、入力受付部３６０（ＣＰＵ４５）は、赤外線センサ１１０により検出された入力操作（入力内容）を受け付ける。
【００７４】
続けて、ステップＳＴ９において、回動角度検知部３１０は、（定期的に）連結部４における回動角度を検知する。
【００７５】
続けて、ステップＳＴ１０において、ＣＰＵ４５（制御部）は、回動角度が変更されたか否かを判定する。
ここで、ＣＰＵ４５（制御部）により回動角度が変更されたと判定された場合（ステップＳＴ１０、ＹＥＳ）、ＣＰＵ４５（制御部）における処理は、ステップＳＴ３の前に戻る。
ＣＰＵ４５（制御部）により回動角度が変更されていないと判定された場合（ステップＳＴ１０、ＮＯ）、ＣＰＵ４５（制御部）における処理は、ステップＳＴ１１に進む。
【００７６】
続けて、ステップＳＴ１１において、アプリケーション実行部３３０（ＣＰＵ４５）は、アプリケーションを終了する指示を受けたか判定する。
ここで、アプリケーション実行部３３０（ＣＰＵ４５）により、アプリケーションを終了する指示を受けたと判定された場合（ＳＴ１１、ＹＥＳ）、ＣＰＵ４５（制御部）における処理は、終了される。
アプリケーション実行部３３０（ＣＰＵ４５）により、アプリケーションを終了する指示を受けていないと判定された場合（ＳＴ１１、ＮＯ）、ＣＰＵ４５（制御部）における処理は、ステップＳＴ６の前に戻る。
【００７７】
続けて、ステップＳＴ１２において、アプリケーション選択部３２０（ＣＰＵ４５）は、アプリケーション（待ち受け、ＴＶ、音楽再生）を選択する。
【００７８】
続けて、ステップＳＴ１３において、アプリケーション実行部３３０（ＣＰＵ４５）は、アプリケーション（待ち受け、ＴＶ、音楽再生）を実行する。
【００７９】
続けて、ステップＳＴ１４において、映像投影部１００は、所定領域ＧＡに所定の映像を投影する。
【００８０】
続けて、ステップＳＴ１５において、回動角度検知部３１０は、（定期的に）連結部４における回動角度を検知する。
【００８１】
続けて、ステップ１６において、ＣＰＵ４５（制御部）は、回動角度が変更されたか否かを判定する。
ここで、ＣＰＵ４５（制御部）により回動角度が変更されたと判定された場合（ステップＳＴ１６、ＹＥＳ）、ＣＰＵ４５（制御部）における処理は、ステップＳＴ３の前に戻る。
ＣＰＵ４５（制御部）により回動角度が変更されていないと判定された場合（ステップＳＴ１６、ＮＯ）、ＣＰＵ４５（制御部）における処理は、ステップＳＴ１７に進む。
【００８２】
続けて、ステップＳＴ１７において、アプリケーション実行部３３０（ＣＰＵ４５）は、アプリケーションを終了する指示を受けたか判定する。
ここで、アプリケーション実行部３３０（ＣＰＵ４５）により、アプリケーションを終了する指示を受けたと判定された場合（ＳＴ１７、ＹＥＳ）、ＣＰＵ４５（制御部）における処理は、終了される。
アプリケーション実行部３３０（ＣＰＵ４５）により、アプリケーションを終了する指示を受けていないと判定された場合（ＳＴ１７、ＮＯ）、ＣＰＵ４５（制御部）における処理は、ステップＳＴ１４の前に戻る。
【００８３】
本実施形態によれば、筐体２と支持部材３とが連結部４により所定の回動角度で保持された状態で携帯電話機１を載置面Ｇに載置した場合に、載置面Ｇにおける表示部２１が向く側の所定領域ＧＡに映像を投影できる。これにより、ユーザは、映像投影部から投影された映像内容Ｐと、表示部２１に表示された表示内容Ｑとの双方を容易に同時に視認できる。
【００８４】
また、本実施形態によれば、映像投影部１００は、表示部２１により表示される表示内容Ｑと異なる内容の映像を投影することができる。これにより、携帯電話機１は、単に表示部２１に表示した表示内容Ｑにおける視認性の向上ではなく、例えば、実行中のアプリケーションにおける使用性を向上させることができる。例えば、図８のステップＳＴ１４において、表示部２１がＴＶ放送を表示し、映像投影部１００が当該ＴＶ放送の字幕などを表示してもよい。
【００８５】
また、本実施形態によれば、携帯電話機１は、連結部４における回動角度に対応したアプリケーションを実行する。これにより、携帯電話機１は、筐体２の載置面Ｇとの角度やユーザの目線からみた見易さ等に応じて、各回動角度に適したアプリケーションを実行することができる。
【００８６】
また、本実施形態によれば、携帯電話機１は、連結部４における回動角度に応じて、映像補正や、映像投影部１００における投射方向（角度）や照射角を調整する。これにより、映像投影部１００により投影される映像は、好適に調整される。
【００８７】
また、本実施形態よれば、携帯電話機１は、映像投影部１００により投影されたキーボード（入力用映像）に対する入力操作を検出可能な赤外線センサ１１０を備える。これにより、携帯電話機１は、キーボードを有する端末装置として使用可能である。
【００８８】
以上、好適な実施形態について説明したが、本発明は上述した実施形態に限定されることなく種々の形態で実施することができる。例えば、本実施形態において、電子機器として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００８９】
また、本実施形態において、支持部材３は、完全な環状であり、筐体２の外周面２Ｃの全部を囲むような形状であるが、これに限定されない。
例えば、図９に示すように、支持部材３は、筐体２の外周面２Ｃにおける一部を囲まない形状であってもよい。
また、例えば、図１０に示すように、支持部材３は、筐体２の外周面２Ｃにおける一部だけを囲むように形成されてもよい。
【００９０】
また、本実施形態において、連結部４は、筐体２の外周面２Ｃにおける長手方向の中央部に取り付けられているが、これに限定されない。例えば、図１１Ａ及び図１１Ｂに示すように、連結部４は、筐体２の外周面２Ｃにおける長手方向の端部側に取り付けられてもよい。
この場合、支持部材３は、連結部４における回動角度が変更された場合でも、配置位置や載置面Ｇに対してなす角度等を変更しなくてもよい。
【００９１】
また、本発明の実施形態である携帯電話機１は、表示部２１を有する第１面２Ａと、当該第１面２Ａの対面である第２面２Ｂと、前記第１面２Ａ及び前記第２面２Ｂに隣接する第１端面（端面２ａ）と、を備える筐体部（筐体２）と、前記第１面２Ａ、前記第２面２Ｂ及び前記第１端面と平行な回動軸Ｒを有する連結部４と、当該回動軸Ｒにおいて前記第１面２Ａに対して所定角度をなす場合に前記第１面２Ａの前方に配される第２端面（端部３ｂ）と、当該回動軸において前記第１面に対して所定角度をなす場合に前記第２面の前方に配される第３端面（端部３ａ）と、を有する支持部材３（支持体部）と、前記第２端面（端部３ｂ）に取付けられ、映像を投影する映像投影部１００と、を備える。
【符号の説明】
【００９２】
１        携帯電話機
２        筐体（筺体部）
２ａ      端面（第１端面）
２Ａ      第１面
２Ｂ      第２面
２Ｃ      外周面
３        支持部材（支持体部）
３ａ      端部（第２端面）
３ｂ      端部（第３端面）
３Ｃ      内周面
４        連結部
２１      表示部
１００    映像投影部
Ｇ        載置面
ＧＡ      所定領域
Ｒ        回動軸
【図１】
0005448941.tif 000002
【図２】
0005448941.tif 000003
【図３】
0005448941.tif 000004
【図４Ａ】
0005448941.tif 000005
【図４Ｂ】
0005448941.tif 000006
【図４Ｃ】
0005448941.tif 000007
【図４Ｄ】
0005448941.tif 000008
【図５】
0005448941.tif 000009
【図６】
0005448941.tif 000010
【図７】
0005448941.tif 000011
【図８】
0005448941.tif 000012
【図９】
0005448941.tif 000013
【図１０】
0005448941.tif 000014
【図１１Ａ】
0005448941.tif 000015
【図１１Ｂ】
0005448941.tif 000016